(57)【要約】【課題】      窓開閉装置６がどの方向に設置されてもボールチェーン外れ防止用のひさし部３が必ず駆動用スプロケット４の上部に来て、しかも静かに操作出来る外れ防止ガイドを提供する【解決手段】    窓開閉装置６の本体カバー表面１０と駆動用ボールチェーンスプロケット４との間に取付されるベース板２と、ボールチェーンスプロケット４の上面に沿い、しかもその上面より更に間隙を有するように位置構成された外れ止め用のひさし部３とが、一体成型され、ベース板２には駆動軸貫通穴８が設けられ、しかもひさし部３が常にボールチェーンスプロケット４の上部位置にくるように取付け可能に取付穴９が形成されてなり、ひさし部３の両端はボールチェーン５を所定速度で引張ってボールチェーンスプロケットを正逆回転させてもボールチェーンが接触しない位置にあるボールチェ−ン外れ防止ガイド【選択図】図６
2005256588.tif 000002
【特許請求の範囲】
【請求項１】
窓を開閉する本体カバー付窓開閉装置の駆動軸にボールチェーンスプロケットが連結され無端状のボールチェーンが設けられてこのボールチェーンを操作することによって窓開閉される窓開閉装置において窓開閉装置の本体カバー表面と駆動軸に取付けされた前記ボールチェーンスプロケットとの間に設けられたベース板と、前記ボールチェーンスプロケットの上面に沿ってボールチェーンのボール外径より小さい間隙を有するように構成されたボールチェーン外れ防止用のひさし部とが、一体成型され、前記ベース板は前記窓開閉装置の取付け方向にかかわらず前記窓開閉装置の駆動軸中心に回転可能な貫通穴が設けられしかも前記ひさし部の中央が常に前記ボールチェーンスプロケットの上部位置にくるように取付け可能に形成されて前記本体カバーに固定され、前記ひさし部の両端は駆動軸心を通る水平面より上部にあって、無端状に構成された前記ボールチェーンを所定速度で引張って前記ボールチェーンスプロケットを正逆回転させても前記ボールチェーンが接触しない位置にあることを特徴とするボールチェーンを用いた窓開閉用装置のボールチェーン外れ防止ガイド
【請求項２】
窓を開閉する本体カバー付窓開閉装置の駆動軸にボールチェーンスプロケットが連結され無端状のボールチェーンが設けられてこのボールチェーンを操作することによって窓開閉される窓開閉装置において前記ボールチェーンスプロケットの上面に沿って前記ボールチェーンのボール外径より小さい間隙を有するように構成されたボールチェーン外れ防止用のひさし部の片面または両面にベース板が設けられ前記ベース板には駆動軸中心に回転可能な貫通穴が設けられしかも前記ひさし部の中央が常に前記ボールチェーンスプロケットの上部位置にくるように重心が設定され前記ひさし部の両端は駆動軸心を通る水平面より上部にあって無端状に構成されたボールチェーンを所定速度で引張ってボールェーンスプロケットを正逆回転させてもボールチェーンが接触しない位置にあることを特徴とするボールチェーンを用いた窓開閉用装置のボールチェ−ン外れ防止ガイド
【請求項３】
無端状に構成されたボールチェーンが所定速度を越えて引張られ、ボールチェーンが前記ひさし部の端部に衝突してもこのボールチェーンが前記ガイドの端部に引っ掛からない形状を有することを特徴とする請求項１及び請求項２に記載のボールチェーンを用いた窓開閉用装置のボールチェ−ン外れ防止ガイド
【発明の詳細な説明】
【技術分野】
【０００１】    本発明は無端状のボールチェーンを用いた窓開閉装置の駆動用スプロケット上面に設けられるボールチェーンの外れ防止用ガイドに関するものである。
【背景技術】
【０００２】    従来の窓開閉装置は、連窓のそれぞれに蹴り出し用のダンパを取付け、枠滑車・障子滑車を配設した上、ワイヤロープの一端を固定して、他端に、巻取りドラムをもつ窓開閉装置を設けてハンドル操作によりワイヤロープを巻取ることにより窓を閉鎖させ、この窓開閉装置装置に設けられた押し釦を押すことによって巻取りドラムのラッチをはずしてダンパによって一早く窓を開放するタイプのものが主流を占めている。【０００３】    これらは主に排煙装置などに用いられてきたが、昨今オフィスや室内換気用のために、高所の窓を少しだけ開けたい等の要求があり、これらの需要も工場用から次第にオフィス用へと変化しつつある。そのため工期の短縮、取付けの容易さ、オフィス内へのデザインマッチングなどから窓開閉操作装置を窓近傍高所に設けボールチェーンを用いて手動により操作する窓開閉操作装置（特許文献１、特許文献２）が提供されてきていた。【０００４】
【特許文献１】  特許第３４８００２６公報  図１
【特許文献２】  特許第３４８５３５４号公報  図１及び図２
【発明の開示】
【発明が解決しようとする課題】
【０００５】    高所に設けられる窓開閉操作装置（以後窓開閉装置と称す）は取付け位置の関係から縦方向・横方向のいずれにも取付けることが出来なければならず、また、ボールチェーンを用いて手動で操作するためそのままではボールチェーンスプロケットからボールチェーンが外れることが度々あり、外れ防止も工夫する必要があった。【０００６】    これらについて特許文献２にはその打開策の一つが記載され、窓開閉装置の駆動軸に貫通して設けられたカバー内に無端状のボールチェーンが配設されたボールチェーンスプロケットが設置され、カバーはハンドル軸に対し窓開閉用オペレータをどのような方向に取付けようともボールチェーン重量による垂下のため必ず開口部が下を向くように構成され更に軸貫通されているためボールチェーンをどのように操作しようとも決してはずれることがないなどの工夫がなされていた。【０００７】    しかしながらこのカバーは無端状ボールチェーンの巻き上げスピードが早められた場合、引張り側は緊張されてほぼ直線的に引張られるが、反対側のボールチェーンは弛緩揺動しながら引き上げられ、更にボールチェーンスプロケットの回転による遠心力のため外周側へ膨らむ傾向があり、そのためすぐにボールチェーンがカバーに接触衝突して大きな音を立てるという不都合があった。本発明はかかる不都合を解決することを目的として提供されたものである。
【課題を解決するための手段】
【０００８】  本発明は窓開閉装置の本体カバーとボールチェーンスプロケットのボールチェーン外れ防止を兼ねたカバーとを分離し、更にボールチェーンの膨らみ部分との接触部を大きく取り除くことによってかかる不都合を解決した。すなわち本発明は一つには窓を開閉する本体カバー付窓開閉装置の駆動軸にボールチェーンスプロケットが連結され無端状のボールチェーンが設けられてこのボールチェーンを操作することによって窓開閉される窓開閉装置において窓開閉装置の本体カバー表面と駆動軸に取付けされたボールチェーンスプロケットとの間に設けられたベース板と前記ボールチェーンスプロケットの上面に沿ってボールチェーンのボール外径より小さい間隙を有するように構成されたボールチェーン外れ防止用のひさし部とが一体成型され前記ベース板は前記窓開閉装置の取付け方向にかかわらず前記窓開閉装置の駆動軸中心に回転可能な貫通穴が設けられしかも前記ひさし部の中央が常に前記ボールチェーンスプロケットの上部位置にくるように取付け可能に形成されて前記本体カバーに固定され、前記ひさし部の両端は駆動軸心を通る水平面より上部にあって無端状に構成されたボールチェーンを所定速度で引張ってボールチェーンスプロケットを正逆回転させてもボールチェーンが接触しない位置にあることを特徴とするボールチェーンを用いた窓開閉用装置のボールチェ−ン外れ防止ガイドである。【０００９】    また一つは窓を開閉する本体カバー付窓開閉装置の駆動軸にボールチェーンスプロケットが連結され無端状のボールチェーンが設けられてこのボールチェーンを操作することによって窓開閉される窓開閉装置において前記ボールチェーンスプロケットの上面に沿ってボールチェーンのボール外径より小さい間隙を有するように構成されたボールチェーン外れ防止用のひさし部の片面または両面にベース板が設けられ前記ベース板には駆動軸中心に回転可能な貫通穴が設けられしかも前記ひさし部の中央が常に前記ボールチェーンスプロケットの上部位置にくるように重心が設定され前記ひさし部の両端は駆動軸心を通る水平面より上部にあって無端状に構成されたボールチェーンを所定速度で引張ってボールェーンスプロケットを正逆回転させてもボールチェーンが接触しない位置にあることを特徴とするボールチェーンを用いた窓開閉用装置のボールチェ−ン外れ防止ガイドである。【００１０】    更にまた一つは無端状に構成されたボールチェーンが所定速度を越えて引張られ、ボールチェーンが前記ひさし部の端部に衝突してもこのボールチェーンが前記ガイドの端部に引っ掛からない形状を有することを特徴とするボールチェーンを用いた窓開閉用装置のボールチェ−ン外れ防止ガイドである。【００１１】    これらは窓開閉装置の据付が縦・横いずれの設置であってもボールチェーンは自重により垂下されるし、取付け位置によって駆動用ボールチェーンスプロケットの回転方向は正逆いずれの回転の場合もあり得るのですべてのポジションで共用するためのボールチェーン外れ防止ガイドは常に真上位置に来ることが望ましく、また、左右対称が望ましい。【００１２】    また無端状のボールチェーンの引張り速度が所定速度を越えれば超えるほど、ボールチェーンスプロケットの回転による遠心力のため弛緩側のボールチェーンは外周に向かって大きく膨らんでやがてボールチェ−ン外れ防止ガイドの端部に衝突する。その際ボールチェ−ンのボール同士を連結している連結軸がガイドの端部に引っ掛かって切断される場合がある。従ってガイドの端部に引っ掛からない形状とは、例えばガイド端部の厚みを連結軸が入り込まない厚さにするとかエッジをたてずに丸みを大きく取った形状にするとかの形状のことをいう。
【発明の効果】
【００１３】    本発明のボールチェ−ン外れ防止ガイドは窓開閉装置をどのような方向で設置しようとも常に外れ防止ガイドのひさし部をボールチェーンスプロケットの上部側に位置させることが容易に出来る。また、所定速度で無端状ボールチェーンの一方側を引張ってワイヤロープを巻き取っても他方弛緩側のボールチェーンは外れ防止ガイドの端部に接触しないためワイヤロープ巻取り時も騒音を発しない。また、所定の速度以上で引張られてもボールチェーンが外れ防止ガイドの端部に引っ掛かることがない。
【発明を実施するための最良の形態】
【００１４】    以下、添付図面を参照して本発明のボールチェーン外れ防止ガイドを説明する。
まず、図１を参照して、第１実施形態の構成について説明する。図１はボールチェーン外れ防止ガイドの第１実施形態の正面図であり、図２は第１実施形態の取付穴を長穴変形させた正面図であり、図３〜図５は窓開閉用装置を垂直方向に設置した場合と水平方向にそれぞれ設置した場合における第１実施形態の取付状況を示した斜視図であり、矢印は窓に設けられたワイヤロープの引張り方向を示し、そして図６は図４にボールチェーンスプロケット及び無端状のボールチェーンを装着した際の斜視図である。【００１５】    図１に示すように第１実施形態に係るボールチェーン外れ防止ガイド１はベース板２とひさし部３とにより構成され一体成型されている。ひさし部３の下面側は１点鎖線で示したボールチェーンスプロケット４の外径にボールチェーン５のボール外径より小さい間隙を加えた距離でもってスプロケット上面に沿って立体的にベース板２よりせり出されてなり、その端部は左右対称で窓開閉装置６の駆動軸７を中心とし駆動軸７の水平線上より約４５度仰いだ直線上位置と交差するように構成されている。ひさし部両端側の下面のカーブはボールチェーン５が所定速度以上で巻き取られた際、その反動で衝突しても各ボール間の連結軸が挟まらないようにボールピッチ間よりも長い距離が設けられてなる。【００１６】    本第１実施形態の場合、ボールチェーン５がボールチェーン外れ防止ガイド１の端部に引っ掛からない形状としてカーブ面を用いたが、別にカーブ面を用いなくて厚みを増して厚みをカーブ面同様の長さにしても良く、要はボールチェーン５が反動で衝突しても挟まらない形状であれば良い。尚、ひさし部３の上面形状についてはどのようなものであっても構わない。また所定速度を低く設定することによって前記仰角は小さくすることも可能である。【００１７】    ベース板２は軸貫通穴８の他に軸を中心に垂直・水平位置に４個の取付穴９が設けられてなる。窓開閉装置６の設置は図３〜図５に示すように、ワイヤロープ引張り方向から水平取付、垂直取付がそのほとんどを占めるため垂直・水平位置に４個の取付穴９によりいかなる設置の場合でもひさし部３はボールチェーンスプロケット４の上部に取付可能になる。【００１８】    また、窓開閉装置６を設計上斜めに取付しなければならない場合があっても、図２に示すように取付穴９を長穴にしてベース板２を２本のビスでビス留めすればどのような取付角度にもひさし部３をボールチェーンスプロケット４の上部に取付対応可能になる。図６はボールチェーンスプロケット及びボールチェーンを装着した際における斜視図である。【００１９】    図６からわかるように所定速度で片側のボールチェーン５を引張り、反対側のボールチェーン５が少々弛緩したり外側に膨らんでもボールチェーン５はひさし部３の端部に接触しないから静かであって騒音を発しないし、また、所定速度以上で引張られてもボールチェーンが外れ防止ガイドの端部に引っ掛かることがない。【００２０】    尚、ここではボールチェーン外れ防止ガイド１は本体カバー１０に直接取付したが、例えばベース板２の裏側にはめ込み部を１体成型加工して設け、本体カバー１０側にはめ込み溝部を設けて、このはめ込み溝部を回動自在に取付可能に形成し、この溝部にベース板２裏側のはめ込み部をはめ込み取付しても良く、また、その他の取付固定方法であっても良い。【００２１】    次に図７、図８を参照して本発明の第２実施形態について説明する。なお、第１実施形態と同一の構成要素については同一番号を用い、詳細な説明については省略する。
図７はひさし部３の片面側にベース板２が設けられて一体成型されてなるものであり、ベース板２に窓開閉装置６の駆動軸７に貫通させる軸貫通穴８が設けられ、更にひさし部３の軸対称位置にもひさし部３に似せて、しかもひさし部３より更に厚みを増やしその重量がひさし部３より重いカウンタウェイト部１１が設けられてなるボールチェーン外れ防止ガイド１であり、また、ひさし部３の両端部形状は第１実施形態での説明のうち厚みを大きくした方法で製作されてなる。そのためボールチェーン外れ防止ガイド１を窓開閉装置６の駆動軸７に貫通させるだけで窓開閉装置６がどのような方向で設置されようとも重心の関係から自動的にひさし部３は常にボールチェーンスプロケット４の上部にくるし、また所定速度でボールチェーンを引張ってもひさし部３の端部に接触しないから静かで騒音がなく、所定速度以上で引張られてもボールチェーン５が外れ防止ガイドのひさし部３の端部に引っ掛かることがない。【００２２】    図８はひさし部３の両面側にベース板２、２が設けられて一体成型されてなるものであり、ベース板２、２に窓開閉装置６の駆動軸７に貫通させる軸貫通穴８が設けられ、更に軸面から下側の重量が軸面から上側の重量よりも大きくなるようにして、しかも重心位置が駆動軸７よりも下部にあって軸垂線上にあるように構成されてなるボールチェーン外れ防止ガイド１であり、また、ひさし部３は図７におけるものと同様のものである。そのため窓開閉装置６がどのような方向で取付けられようとも駆動軸７に貫通させるだけで自動的にひさし部３は常にボールチェーンスプロケット４の上部にくるし、また所定速度でボールチェーンを引張ってもひさし部３の端部に接触しないから静かで騒音がなく、所定速度以上で引張られてもボールチェーン５が外れ防止ガイドのひさし部３の端部に引っ掛かることがない。
【図面の簡単な説明】
【００２３】
【図１】第１実施形態の正面図
【図２】図１の取付穴を長穴変形させた正面図
【図３】開閉用装置を垂直方向に設置した場合の第１実施形態の取付斜視図
【図４】開閉用装置を水平直方向に設置した場合の第１実施形態の取付斜視図
【図５】開閉用装置を水平方向に設置した場合の第１実施形態の取付斜視図
【図６】図４にボールチェーンスプロケット及びボールチェーン装着時の斜視図
【図７】第２実施形態の斜視図
【図８】もう一つの第２実施形態の斜視図
【図９】開閉用装置に図７のガイドとボールチェーンスプロケットとボールチェーンとをすべて装着した際の斜視図
【図１０】開閉用装置に図８のガイドとボールチェーンスプロケットとボールチェーンとをすべて装着した際の斜視図
【符号の説明】
【００２４】    １  ボールチェーン外れ防止ガイド
２  ベース板
３  ひさし部
４  ボールチェーンスプロケット
５  ボールチェーン
６  窓開閉装置
７  駆動軸
８  軸貫通穴
９  取付穴
１０  本体カバー
１１  カウンタウェイト部
【図１】
2005256588.tif 000003
【図２】
2005256588.tif 000004
【図３】
2005256588.tif 000005
【図４】
2005256588.tif 000006
【図５】
2005256588.tif 000007
【図６】
2005256588.tif 000008
【図７】
2005256588.tif 000009
【図８】
2005256588.tif 000010
【図９】
2005256588.tif 000011
【図１０】
2005256588.tif 000012